(57)【要約】【課題】リング状の発光領域を実現しうる高性能のイルミネーション装置及びこのようなイルミネーション装置を有する電子機器を提供する。【解決手段】  平板状の導光板と、導光板の側面に発光面が対向するように配置され、側面から導光板内に光を入射する複数の光源とを有し、導光板の一方の表面に、導光板の中央部を囲うように配置され、複数の光源から発せられて導光板内を伝搬する光を反射して導光板の他方の表面から出射するプリズムが形成されており、プリズムは、複数の光源のそれぞれに対して、光源から発せられた光を、導光板の中央部を挟んで光源に対向する領域において他方の表面から出射するように、形成されている。【選択図】図１
2013200490.tif 000002
【特許請求の範囲】
【請求項１】
平板状の導光板と、
前記導光板の側面に発光面が対向するように配置され、前記側面から前記導光板内に光を入射する複数の光源とを有し、
前記導光板の一方の表面に、前記導光板の中央部を囲うように配置され、前記複数の光源から発せられて前記導光板内を伝搬する光を反射して前記導光板の他方の表面から出射するプリズムが形成されており、
前記プリズムは、前記複数の光源のそれぞれに対して、前記光源から発せられた前記光を、前記導光板の前記中央部を挟んで前記光源に対向する領域において前記他方の表面から出射するように、形成されている
ことを特徴とするイルミネーション装置。
【請求項２】
請求項１記載のイルミネーション装置において、
前記プリズムは、前記複数の光源のそれぞれに対して、前記光源から発せられた前記光を、前記光源と前記導光板の前記中央部との間の領域において前記他方の表面から出射しないように、形成されている
ことを特徴とするイルミネーション装置。
【請求項３】
請求項１又は２記載のイルミネーション装置において、
前記プリズムは、同心円状に配置された複数のリング状の溝を有する
ことを特徴とするイルミネーション装置。
【請求項４】
請求項１又は２記載のイルミネーション装置において、
前記プリズムは、螺旋状の溝を有する
ことを特徴とするイルミネーション装置。
【請求項５】
請求項３又は４記載のイルミネーション装置において、
前記溝は、前記導光板の前記側面側に位置する第１の斜面と、前記導光板の前記中央部側に位置する第２の斜面とを有するＶ字型の溝により形成されている
ことを特徴とするイルミネーション装置。
【請求項６】
請求項５記載のイルミネーション装置において、
前記導光板の前記一方の表面と前記第１の斜面との成す角度が１度〜５度であり、前記導光板の前記一方の表面と前記第２の斜面との成す角度が４１度〜４６度である
ことを特徴とするイルミネーション装置。
【請求項７】
請求項３乃至６のいずれか1項に記載のイルミネーション装置において、
前記光源から離間するほどに、前記溝間のピッチが狭くなっている
ことを特徴とするイルミネーション装置。
【請求項８】
請求項３乃至７のいずれか１項に記載のイルミネーション装置において、
前記光源から離間するほどに、前記溝の深さが深くなっている
ことを特徴とするイルミネーション装置。
【請求項９】
請求項３乃至８のいずれか１項に記載のイルミネーション装置において、
前記溝間のピッチは、０．２ｍｍ以下である
ことを特徴とするイルミネーション装置。
【請求項１０】
請求項１乃至９のいずれか１項に記載のイルミネーション装置において、
前記光源の前記発光面に対向する前記導光体の前記側面が平坦になっている
ことを特徴とするイルミネーション装置。
【請求項１１】
請求項１乃至１０のいずれか１項に記載のイルミネーション装置において、
前記導光板の前記他方の表面側に配置されたレンズシートを更に有する
ことを特徴とするイルミネーション装置。
【請求項１２】
平板状の導光板と、前記導光板の側面に発光面が対向するように配置され、前記側面から前記導光板内に光を入射する複数の光源とを有し、前記導光板の一方の表面に、前記導光板の中央部を囲うように配置され、前記複数の光源から発せられて前記導光板内を伝搬する光を反射して前記導光板の他方の表面から出射するプリズムが形成されており、前記プリズムは、前記複数の光源のそれぞれに対して、前記光源から発せられた前記光を、前記導光板の前記中央部を挟んで前記光源に対向する領域において前記他方の表面から出射するように、形成されているイルミネーション装置と、
前記イルミネーション装置の前記光源を制御する制御装置と
を有することを特徴とする電子機器。
【請求項１３】
請求項１２記載の電子機器において、
前記複数の光源は、前記制御装置が形成された回路基板に形成されており、
前記複数の光源が形成された前記回路基板上に、前記導光板が配置されている
ことを特徴とする電子機器。
【請求項１４】
請求項１２又は１３記載の電子機器において、
前記導光板は、外装部品と一体形成されている
ことを特徴とする電子機器。
【請求項１５】
請求項１４記載の電子機器において、
前記外装部品は、光を拡散する拡散材を含む
ことを特徴とする電子機器。
【発明の詳細な説明】
【背景技術】
【０００１】
電子機器には、種々の目的で様々なイルミネーション装置が用いられている。例えば携帯電話機等の携帯情報端末では、電話や電子メールの着信をユーザに知らせるインターフェースとして、様々な発光パターンを発生するイルミネーション装置が用いられている。また、イルミネーション装置は装置デザインの一部としても考えられており、着信を知らせるというインターフェースとしての機能に加え、外装の一部を光らせることによる装飾的効果をも発揮する。
【先行技術文献】
【特許文献】
【０００２】
【特許文献１】特開２００２−２０８３０８号公報
【特許文献２】特開２００３−０５７４４８号公報
【特許文献３】特開２００３−２６２７３４号公報
【特許文献３】特開２００３−３０８７５２号公報
【特許文献４】国際公開第２００７／０２０８２０号パンフレット
【発明の概要】
【発明が解決しようとする課題】
【０００３】
電子機器に搭載されるイルミネーション装置には、電子機器の機能や構造に応じた様々な形状の発光領域が求められる。また、装飾的効果等を向上する観点から、暗部のない均一な発光分布を有し、また、入光効率高く高輝度であることが望まれる。
【０００４】
本発明の目的は、リング状の発光領域を実現しうる高性能のイルミネーション装置及びこのようなイルミネーション装置を搭載した電子機器を提供することにある。
【課題を解決するための手段】
【０００５】
実施形態の一観点によれば、平板状の導光板と、前記導光板の側面に発光面が対向するように配置され、前記側面から前記導光板内に光を入射する複数の光源とを有し、前記導光板の一方の表面に、前記導光板の中央部を囲うように配置され、前記複数の光源から発せられて前記導光板内を伝搬する光を反射して前記導光板の他方の表面から出射するプリズムが形成されており、前記プリズムは、前記複数の光源のそれぞれに対して、前記光源から発せられた前記光を、前記導光板の前記中央部を挟んで前記光源に対向する領域において前記他方の表面から出射するように、形成されているイルミネーション装置が提供される。
【０００６】
また、実施形態の他の観点によれば、平板状の導光板と、前記導光板の側面に発光面が対向するように配置され、前記側面から前記導光板内に光を入射する複数の光源とを有し、前記導光板の一方の表面に、前記導光板の中央部を囲うように配置され、前記複数の光源から発せられて前記導光板内を伝搬する光を反射して前記導光板の他方の表面から出射するプリズムが形成されており、前記プリズムは、前記複数の光源のそれぞれに対して、前記光源から発せられた前記光を、前記導光板の前記中央部を挟んで前記光源に対向する領域において前記他方の表面から出射するように、形成されているイルミネーション装置と、前記イルミネーション装置の前記光源を制御する制御装置とを有する電子機器が提供される。
【発明の効果】
【０００７】
開示のイルミネーション装置及び電子機器によれば、リング状の発光領域を有し、発光輝度の面内均一性が高く高輝度のイルミネーション装置、並びに、このようなイルミネーション装置を有する電子機器を実現することができる。
【図面の簡単な説明】
【０００８】
【図１】図１は、第１実施形態によるイルミネーション装置の構造を示す平面図及び概略断面図である。
【図２】図２は、導光板に形成されたプリズムの溝の構造を示す概略断面図（その１）である。
【図３】図３は、導光板に形成されたプリズムの溝の構造を示す概略断面図（その２）である。
【図４】図４は、導光板に形成されたプリズムの溝の構造を示す概略断面図（その３）である。
【図５】図５は、導光板に形成されたプリズムの溝の構造を示す概略断面図（その４）である。
【図６】図６は、第１実施形態によるイルミネーション装置の効果を示す図である。
【図７】図７は、一般的なＬＥＤの配向特性を示すグラフ（その１）である。
【図８】図８は、一般的なＬＥＤの配向特性を示すグラフ（その２）である。
【図９】図９は、一般的なＬＥＤの配向特性を示すグラフ（その３）である。
【図１０】図１０は、レンズシートの構造を示す斜視図（その１）である。
【図１１】図１１は、レンズシートの構造を示す斜視図（その２）である。
【図１２】図１２は、レンズシートの構造を示す斜視図（その３）である。
【図１３】図１３は、比較例によるイルミネーション装置の構造を示す概略図（その１）である。
【図１４】図１４は、比較例によるイルミネーション装置の構造を示す概略図（その２）である。
【図１５】図１５は、比較例によるイルミネーション装置の構造を示す概略図（その３）である。
【図１６】図１６は、第２実施形態によるイルミネーション装置の構造を示す平面図である。
【図１７】図１７は、第３実施形態によるイルミネーション装置の構造を示す平面図（その１）である。
【図１８】図１８は、第３実施形態によるイルミネーション装置の構造を示す平面図（その２）である。
【図１９】図１９は、第３実施形態によるイルミネーション装置の構造を示す平面図（その３）である。
【図２０】図２０は、導光板の開口部の内側面の形状による影響を説明する図（その１）である。
【図２１】図２１は、導光板の開口部の内側面の形状による影響を説明する図（その２）である。
【図２２】図２２は、第４実施形態による電子機器の構造を示す斜視図（その１）である。
【図２３】図２３は、第４実施形態による電子機器の構造を示す斜視図（その２）である。
【図２４】図２４は、第４実施形態による電子機器の構造を示す斜視図（その３）である。
【図２５】図２５は、第４実施形態による電子機器の動作を説明する図（その１）である。
【図２６】図２６は、第４実施形態による電子機器の動作を説明する図（その２）である。
【図２７】図２７は、第５実施形態による電子機器の構造を示す概略図（その１）である。
【図２８】図２８は、第５実施形態による電子機器の構造を示す概略図（その２）である。
【図２９】図２９は、第５実施形態による電子機器の構造を示す概略図（その３）である。
【図３０】図３０は、第５実施形態による電子機器の構造を示す概略図（その４）である。
【発明を実施するための形態】
【０００９】
［第１実施形態］
第１実施形態によるイルミネーション装置について図１乃至図１２を用いて説明する。
【００１０】
図１は、本実施形態によるイルミネーション装置の構造を示す平面図及び概略断面図である。図２乃至図５は、導光板に形成されたプリズムの溝の構造を示す概略断面図である。図６は、本実施形態によるイルミネーション装置の効果を示す図である。図７乃至図９は、一般的なＬＥＤの配向特性を示すグラフである。図１０乃至図１２は、レンズシートの構造を示す斜視図である。
【００１１】
はじめに、本実施形態によるイルミネーション装置の構造について図１乃至図１２を用いて説明する。なお、図１（ａ）は本実施形態によるイルミネーション装置の平面図であり、図１（ｂ）は図１（ａ）のＡ−Ａ′線断面図である。
【００１２】
本実施形態によるイルミネーション装置１０は、図１（ａ）及び図１（ｂ）に示すように、平板状の導光板２０と、導光板２０の周囲に配置された複数のＬＥＤ３０と、導光板２０上に配置されたレンズシート４０とを有している。
【００１３】
導光板２０は、可視光を透過する材料、例えばアクリル樹脂等からなる板状体であり、対向する２つの表面と、外周部の側面とを有している。導光板２０の平面形状は、例えば図１（ａ）に示すように、円形である。
【００１４】
導光板２０の、レンズシート４０が配置された側とは反対側の表面には、プリズム２４が設けられている。プリズム２４は、導光板２０の表面に同心円状に設けられた複数の円形の溝２６により形成されている。溝２６は、図には点線で描いているが、断続的に設けられたものではなく、周回する連続した溝である。
【００１５】
溝２６は、例えば図２に示すように、導光板２０の中心側に位置し導光板２０の表面に対する斜度がθ１である斜面２６ａと、導光板２０の外周側に位置し導光板２０の表面に対する斜度がθ２である斜面２６ｂとを有するＶ字型の溝である。なお、導光板２０の中心とは、プリズム２４の複数の溝２６を描く同心円の中心点である。
【００１６】
斜面２６ａの斜度θ１は、導光板２０内を伝搬する光が斜面２６ａによって反射されたときに、反射された光が導光板２０の表面に対して全反射臨界角よりも大きい角度で入射して導光板２０から出射するように、設定されている（図２中、光線２８ａを参照）。
【００１７】
一方、斜面２６ｂの斜度θ２は、導光板２０内を伝搬する光が斜面２６ｂによって反射されたときに、反射された光が導光板２０の表面に対して全反射臨界角よりも小さい角度で入射して導光板２０内に戻るように、設定されている（図２中、光線２８ｂを参照）。
【００１８】
ＬＥＤ３０は、発光面の法線方向がプリズム２４の複数の溝２６を描く同心円の中心点を向くように、導光板２０の側面に沿って等間隔に配置されている。これにより、ＬＥＤ３０から発せられた光が導光板２０の側面から導光板２０内に導入されるようになっている。
【００１９】
導光板２０の側面には、図１（ａ）に示すように、例えば６個のＬＥＤ３０が等間隔に配置される。隣接するＬＥＤ３０の発光面の法線方向は、互いに６０度の角度を成している。ＬＥＤ３０の配置間隔は、発光強度の面内均一性を向上する観点から、均一であることが望ましい。ＬＥＤ３０の数は、導光板２０及びＬＥＤ３０の大きさ等に応じて、発光強度が面内均一になるように、適宜選択することができる。
【００２０】
ＬＥＤ３０は、特に限定されるものではなく、単色のＬＥＤであってもよいし、ＲＧＢ一体型のＬＥＤであってもよい。また、本実施形態では、代表的な光源としてＬＥＤを例にして説明するが、使用する光源は、ＬＥＤに限定されるものではない。例えば、ＬＥＤに代えて、小型ランプ、有機エレクトロルミネッセンス（ＥＬ）素子等を用いてもよい。
【００２１】
各ＬＥＤ３０には、図示しない制御装置が接続される。この制御装置は、ＬＥＤ３０を点灯・消灯し、ＲＧＢ一体型のＬＥＤを用いる場合にあっては発光色の制御を行うものである。制御装置により、各ＬＥＤ３０の発光タイミングや発光色を制御することができる。複数のＬＥＤ３０は、一括制御してもよいし、個別に制御してもよい。また、複数のＬＥＤ３０を順次点灯・消灯するなど、発光・消灯のタイミングを制御するようにしてもよい。
【００２２】
ＬＥＤ３０から発せられた光は、導光板２０の側面から導光板２０内に導入される。  図３において、左側のＬＥＤ３０から導光板２０内に入射する光に着目すると、導光板２０の中心よりもＬＥＤ３０側に位置するプリズム２４の溝２６の斜面２６ａは、導光板２０の側面から中心方向へ向かう光に対して陰になる。このため、導光板２０の中心方向へ向かう光は、プリズム２４の溝２６の斜面２６ｂには入射するが、斜面２６ａには入射しない。
【００２３】
プリズム２４の溝２６の斜面２６ｂに入射した光のうち全反射条件を満たす光は、斜面２６ｂで反射される。斜面２６ｂの斜度θ２は反射された光が導光板２０の表面に対して全反射臨界角よりも小さい角度で入射するように設定されているため、導光板２０外に出射されることはない。これにより、導光板２０内に導入された光は、導光板２０の対向する表面において全反射を繰り返しながら導光板２０内を伝搬する。
【００２４】
ＬＥＤ３０から導光板２０の中心領域よりも離れた場所に位置するプリズム２４では、溝２６の斜面２６ａはＬＥＤ３０側に位置している。このため、導光板２０内を伝搬する光が導光板２０の中心領域を越えると、導光板２０内を伝搬する光はプリズム２４の溝２６の斜面２６ａに入射できるようになる。
【００２５】
導光板２０内を伝搬する過程でプリズム２４の溝２６の斜面２６ａに入射した光のうち、斜面２６ａに対して全反射条件を満たす光線は、斜面２６ａによって全反射される。溝２６の斜面２６ａによって全反射された光のうち、導光板２０の表面に対して全反射臨界角よりも大きい角度で入射した光は、プリズム２４形成面とは反対側の表面側から出射される。導光板２０の表面側から出射される光のうち、人の目に入射した光のみが、人は明るいと感じることができ、有効な光となる。
【００２６】
一方、溝２６の斜面２６ａに対して全反射条件を満たしていない光線（例えば、光線２８ｂ、図２中、点線で表す）は、溝２６の斜面２６ａを透過し、導光板２０のプリズム２４形成面側から出射され、有効な光とはならない。また、プリズム２４形成面とは反対側の表面側から出射された光であっても、人の目に入射しない光を人は感じることができないため、全反射条件を満たさない光と同様に有効な光とはならない。
【００２７】
導光板２０の表面から光が出ていても、人の目に光線が入る導光板の位置は明るく、人の目に光線が入らない導光板２０の位置は暗く感じる。導光板２０内を伝搬する光のうちより多くの光が全反射条件を満たして導光板の表面から出射し、人の目に入射する観点から、導光板２０の表面に対する溝２６の斜面２６ａの斜度θ１は、４０〜５０度の角度に設定することが望ましい。プリズム２４の斜面２６ａの斜度θ１を４０〜５０度の角度とすることにより、導光板２０内を水平方向に対して±１０度以内の角度範囲で伝搬する光を、導光板２０の鉛直方向に対して±１０度程度以内の角度で反射し、導光板２０外に出射することができる。
【００２８】
本実施形態によるイルミネーション装置のプリズム２４は、溝２６の斜面２６ａの斜度θ１を適宜設定することにより導光板２０からの出射角度を調整することができるため、視認者に直接光を向けることができる効率的な光学構成をとることが可能である。
【００２９】
プリズム２４としては、例えば図４に示すように、溝２６の斜面２６ｂと隣接する溝２６の斜面２６ａとが接するように複数の溝２６を配置した構造が考えられる。
【００３０】
このようなプリズム２４の場合、溝２６の斜面２６ａの斜度θ１を例えば４２度、斜面２６ｂの斜度θ２を例えば２度、溝２６間のピッチＰを例えば０．２ｍｍに設定する。この場合の深さＤは、斜度θ１，θ２及びピッチＰにより規定され、０．００７ｍｍ程度となる。
【００３１】
隣接する溝２６と溝２６との間に、例えば図５に示すように、導光板２０の表面に平行な領域を設けてもよい。
【００３２】
図４及び図５のプリズム２４では、斜度θ１を４１度〜４６度程度、斜度θ２を１度〜５度程度に設定することで、同等の効果を得ることができる。
【００３３】
ＬＥＤ３０から発せられた光は横方向に広がりながら伝搬するため、ＬＥＤ３０から発せられた光の強度は、ＬＥＤ３０に近いほど明るくなり、遠ざかるほど暗くなる。
【００３４】
図４及び図５に示すプリズムでは、水平から１．５度程度傾いた光がプリズム２４によって反射され、略垂直の角度で導光板２０から出射する。斜面２６ｂの斜度θ２を小さくすることで、ＬＥＤ３０からの光のうち水平から１．５度程度傾いた光が最初の溝２６の斜面２６ａで反射されて当該角度の光がなくなったとしても、他の角度の光が斜度θ２の斜面２６ｂに影響され、伝搬するうちに次々に作成される。したがって、斜度θ２を小さくすることにより、導光板２０内を伝搬する光の角度に影響を与え、分布の均一化を図ることが可能となる。
【００３５】
明るさの面内分布を相殺して面内均一化を図るために、プリズム２４の構造を適宜変更するようにしてもよい。
【００３６】
例えば、ＬＥＤ３０に近い場所では輝度が高いためピッチＰを大きく設定し、ＬＥＤ３０から遠ざかるに従って輝度が低くなるためこれを補うようにピッチＰを小さくすることができる。なお、ピッチＰが０．２ｍｍより大きいと、人が発光面を見たときにプリズム２４の間隔を分解することができてしまい、プリズム２４による反射部分と非プリズム部が縞模様となって見えてしまう。かかる観点から、溝２６のピッチＰは、０．２ｍｍ以下に設定することが望ましい。
【００３７】
溝２６のピッチＰを変化させる代わりに、溝２６の深さＤを変化させるようにしてもよい。溝２６が深いほど、すなわち溝２６の斜面２６ａの面積が大きいほど、反射される光の量が多くなる。そこで、ＬＥＤ３０に近い場所では輝度が高いため溝２６の深さＤを浅く設定し、ＬＥＤ３０から遠ざかるに従って輝度が低くなるためこれを補うように溝２６の深さＤを深くすることができる。
【００３８】
上述のように、本実施形態によるイルミネーション装置では、ＬＥＤ３０のそれぞれに対して、ＬＥＤ３０から発せられた光を、導光板２０の中央部を挟んでＬＥＤ３０に対向する領域において導光板２０から出射するように、プリズム２４が形成されている。また、ＬＥＤ３０のそれぞれに対して、ＬＥＤ３０から発せられた光を、ＬＥＤ３０と導光板の中央部との間の領域において導光板２０から出射するように、プリズム２４が形成されている。これは、発光強度の面内均一性を高めるためである。
【００３９】
図６に示すように、ＬＥＤ３０間の領域には、これらＬＥＤ３０からの光が直接入射されない暗部３２が存在する。この場合、ＬＥＤ３０に近い側のプリズム２４領域でＬＥＤ３０からの光を反射して導光板２０から出射すると、ＬＥＤ３０に近く輝度が大きいため、暗部３２との間の明暗の差が大きくなる。暗部３２には導光板２０の反対側の側面に配置されたＬＥＤ（図示せず）からの光が入射されるが、光源から離れた場所の明暗の差を解消するには不十分である。
【００４０】
これに対し、本実施形態によるイルミネーション装置ではＬＥＤ３０に近い側のプリズム２４領域では導光板２０から光を出射しないため、暗部３２との間の明暗の差が生じることはない。これにより、発光強度の面内均一性を向上することができる。また、反対側の側面に配置したＬＥＤ３０からの光はより広がってプリズム２４領域に到達するため、導光板２０の周囲に配置するＬＥＤ３０の数を減らすこともできる。これにより、部品点数の削減が可能となり、低コスト化・低消費電力化を図ることができる。
【００４１】
図７及び図８は、一般的なＬＥＤの配向特性を示すグラフである。図７は空気中における角度と発光強度との関係を極座標グラフに表したものであり、図８は空気中及び導光板内における発光強度と角度との関係２次元グラフに表したものである。これらグラフにおいて、角度は、ＬＥＤの発光面の法線方向から傾いた角度を表している。また、発光強度は、法線方向の発光強度により正規化した値を表している。
【００４２】
ＬＥＤ３０から発せられた光は、空気中から導光板２０内に入射する際、屈折率の違いによる影響を受けて配向特性が変化する。例えば図８に示すように、導光板２０の構成材料の屈折率が１．４９（アクリル樹脂）の場合、発光強度が０．５のときの角度は、空気中では５４度程度であるのに対し、導光板内では３２度程度となる。
【００４３】
ここで、厚さが０．５ｍｍの導光板２０に、斜面２６ａの斜度θ１が４２度、斜面２６ｂの斜度θ２が２度の溝２６を０．２ｍｍピッチで配置した４ｍｍ幅のリング状のプリズム２４を設けた場合を想定する。
【００４４】
導光板２０に入射した光が手前のプリズム２４領域を通過する際にプリズム２４の斜面２６ｂで反射する回数は、導光板２０に入射される際の角度に応じて１〜４回となる。図７に示すように、入射角度が約１７度以下の光は、プリズム２４を通過する間に１回反射する。入射角度が約１７度〜約２８度の光は、プリズム２４を通過する間に２回反射する。入射角度が約２８度〜約３８度の光は、プリズム２４を通過する間に３回反射する。入射角度が３８度以上の光は、プリズム２４を通過する際に４回反射する。
【００４５】
一方、光がプリズム２４の斜面２６ｂで反射される際には斜面２６ｂの斜度θ２による変調を受け、導光板２０の表面に対して成す角度は、徐々に大きくなる。この結果、入射角度が約３６度以上の光は、斜面２６ｂによる３回の反射によって全反射臨界角を上回り、導光板２０から出射されることになる。
【００４６】
しかしながら、導光板２０内から出射される光の割合は、図８に示すように、全体の光のうちの約６％程度であり、残りの約９４％の光は奥のプリズム２４領域まで伝搬することができる。
【００４７】
レンズシート４０は、特に限定されるものではないが、光を一旦集光した後に発散させるものが望ましい。光を一旦集光した後に発散させるレンズシート４０を設けることにより、導光板２０から出射される光の視認範囲を広げることができ、発光領域の全体を人の目によって認識することができる。
【００４８】
このようなレンズシートとしては、複数のレンズ構造体が周期的に配列されたレンズアレイシートを適用することができる。例えば、図１０に示すような、球面状のマイクロレンズ４２ａが格子状に配列されたマイクロレンズアレイシートを適用することができる。或いは、例えば図１１に示すような、複数のシリンドリカルレンズ４２ｂが並行するように配列された２枚のレンチキュラレンズシートを、シリンドリカルレンズ４２ｂが互いに交差するように貼り合わせたレンズシートを適用することができる。
【００４９】
或いは、レンズシート４０として光拡散シートを適用してもよい。光拡散シートとしては、例えば図１２に示すように材質内に光を拡散させるための拡散材４２ｃが入れられているもの、表面に凹凸を有するもの、乳白色などの不透明部材などを適用することができる。光拡散シートは、厳密にはレンズ効果を奏するものではないが、市場ではレンズシートと同種の素材として扱われ取引されるものである。本明細書においてレンズシートというときは、光拡散シートをも含むものとする。
【００５０】
なお、レンズシート４０は、視認性を高めるために配置するものであり、レンズシート４０がなくても十分な視認性を得られる場合には、必ずしも配置する必要はない。
【００５１】
本実施形態によるイルミネーション装置では、導光板２０の側面から入射した光を導光板２０の表面から出射している。これは、ＬＥＤ３０から発せられた光の光路長を長くして広がりを大きくするためである。
【００５２】
別のイルミネーション装置としては、例えば図１３及び図１４に示すような構造が考えられる。図１３（ａ）及び図１４（ａ）はイルミネーション装置の断面構造を示す断面図であり、図１３（ｂ）及び図１４（ｂ）はこのイルミネーション装置を搭載した電子部品を外部から見たときの発光状態を示す平面図である。
【００５３】
図１３のイルミネーション装置は、電子機器の外装部品５０の内側に接してＬＥＤ３０の発光面を配置したものである。ＬＥＤ３０から発せられた光は、外装部品５０内を伝搬した後に出射される。このイルミネーション装置の場合、ＬＥＤ３０から発せられた光は、外装部品５０内を伝搬する過程で横方向に広がる。しかしながら、電子機器の小型・薄型化等に伴い外装部品５０が薄くなるにつれ、横方向の広がりを十分に得られなくなる。その結果、外装部品の表面側から見ると、例えば図１３（ｂ）に示すように、発光強度に分布ムラが生じる。
【００５４】
図１４の照明装置は、図１３の照明装置と同様の構造において、ＲＧＢ一体型のＬＥＤ３０を用いた例である。ＬＥＤ３０としてＲＧＢ一体型のＬＥＤを用いる場合にあっては、例えば図１４（ａ）及び図１４（ｂ）に示すように、各色の光が十分に混じり合う前に外装部品５０から出射されてしまう。この結果、所望の色表現が困難となる。
【００５５】
これに対し、本実施形態によるイルミネーション装置では、ＬＥＤ３０から発せられた光を導光板２０の表面に対して平行な方向に伝搬した後、プリズム２４により反射された光を導光板２０の表面から垂直方向に出射する。このため、図１３及び図１４のイルミネーション装置と比較して、ＬＥＤ３０から発せられた光が導光板２０から出射されるまでの距離が長くなる。
【００５６】
したがって、導光板２０から出射されるまでに、ＬＥＤ３０から発せられた光は十分に広がることができ、発光強度の分布ムラを防止することができる。また、ＲＧＢ一体型のＬＥＤ３０を用いる場合にあっては、導光板２０から出射されるまでに各色の光が十分に混じり合うことができ、所望の色表現が可能となる。
【００５７】
また、更に他のイルミネーション装置としては、例えば図１５に示すような構造が考えられる。図１５のイルミネーション装置は、リング状の導光板２０に開口部２２を設け、開口部２２の内側面にＬＥＤ３０を配置したものである。このイルミネーション装置では、導光板２０の開口部２２内にＬＥＤ３０を配置するため、リング状の発光領域を小型化するほどにＬＥＤ３０の配置が困難になっていく。一般的なＲＧＢ一体型のＬＥＤ３０は４ｍｍ程度のサイズであり、リングの内径はこれよりも小さくすることはできない。
【００５８】
これに対し、本実施形態によるイルミネーション装置では、ＬＥＤ３０を導光板２０の周囲に配置するため、リングを小型化するうえでＬＥＤ３０の大きさや配置が影響することはない。
【００５９】
このように、本実施形態によれば、発光輝度の面内均一性が高く色むらの少ないリング状のイルミネーション装置を実現することができる。
【００６０】
［第２実施形態］
第２実施形態によるイルミネーション装置について図１６を用いて説明する。図１乃至図１２に示す第１実施形態によるイルミネーション装置と同様の構成要素には同一の符号を付し説明を省略し又は簡潔にする。
【００６１】
図１６は、本実施形態によるイルミネーション装置の構造を示す平面図である。
【００６２】
第１実施形態によるイルミネーション装置では、前述のように、導光板２０の表面に設けられた同心円状の複数の溝２６によりプリズム２４を形成した。
【００６３】
これに対し、本実施形態によるイルミネーション装置１０では、図１６に示すように、螺旋状に描かれた１本の溝２６によりプリズム２４を形成している。溝２６のピッチＰ、深さＤ、斜面２６ａの斜度θ１、斜面２６ｂの斜度θ２等のパラメータの設定方法は、第１実施形態の場合と同様である。また、溝２６を除くイルミネーション装置の他の構成も、第１実施形態によるイルミネーション装置と同様である。
【００６４】
プリズム２４を有する導光板２０の製造では、バイトなどの切削器具を用いて導光板２０を切削加工することにより溝２６を形成する。導光板２０の平面に切削器具を入刀すると、最初に入刀した部分にバリが発生し、その部分が特異点となり、光のノイズが発生する。溝２６の本数が多ければ多いほど切削器具を入刀する部分が多くなり、その数だけバリが発生し、ノイズが増加する。
【００６５】
そこで、本実施形態によるイルミネーション装置１０では、複数の溝２６を形成する代わりに１本の溝２６を螺旋状に形成することで一筆書き様の切削加工を可能とし、切削器具の入刀箇所を１箇所にする。これにより、バリが発生する部分を大幅に減らし、ノイズを最小限にとどめることが可能になる。これにより、発光輝度の面内均一性を更に向上し、まら、色むらの発生を更に抑制することができる。
【００６６】
このように、本実施形態によれば、発光輝度の面内均一性が高く色むらの少ないリング状のイルミネーション装置を実現することができる。
【００６７】
［第３実施形態］
第３実施形態によるイルミネーション装置について図１７乃至図２１を用いて説明する。図１乃至図１６に示す第１及び第２実施形態によるイルミネーション装置と同様の構成要素には同一の符号を付し説明を省略し又は簡潔にする。
【００６８】
図１７乃至図１９は、本実施形態によるイルミネーション装置の構造を示す平面図である。図２０及び図２１は、導光板の側面の形状による影響を説明する図である。
【００６９】
第１及び第２実施形態によるイルミネーション装置では、前述のように、導光板２０の平面形状を円形とした。
【００７０】
これに対し、本実施形態によるイルミネーション装置１０では、図１７乃至図１９に示すように、導光体２０の平面形状を多角形形状とし、ＬＥＤ３０の発光面と導光板２０の内側面とが平行になるように配置している。図１７は、導光板２０の外形形状を四角形とし、四角形の各辺にＬＥＤ３０を配置した例である。図１８は、導光板２０の外形形状を五角形とし、五角形の各辺にＬＥＤ３０を配置した例である。図１９は、導光板２０の外形形状を六角形とし、六角形の各辺にＬＥＤ３０を配置した例である。
【００７１】
ＬＥＤ３０が例えば４個と少ない場合でも、ＬＥＤ３０からプリズム２４までの距離があるため、光は十分に広がりなだらかな分布を得ることが可能となる。ＬＥＤ３０が例えば６個と多い場合には、隣接するＬＥＤ３０から発せられた光の混色が生じることも考えられるが、混色によりグラデーションがかかり、なだらかな色変化を実現することが可能となる。ＬＥＤ３０の個数は、イルミネーション装置を適用する電子機器の構造や設計上の要求等に応じて適宜選択することができる。
【００７２】
導光板２０は、ＬＥＤ３０の数に対応する角数の多角形により形成してもよいし、ＬＥＤ３０の数よりも多い画数の多角形により形成してもよい。例えば、八角形の導光板２０の８つの辺のうちの４つのみにＬＥＤ３０を配置するようにしてもよい。また、導光板２０の外形形状は、必ずしも正多角形である必要はない。
【００７３】
導光板２０の側面が円弧状などの曲線の場合、図２０（ｂ）及び図２０（ｃ）に示すように、ＬＥＤ３０の中央部と端部とにおいて、ＬＥＤ３０と導光板２０との間の距離が異なっている。ＬＥＤ３０と導光板２０との距離が近い中央部では、発散する光の漏れが少なく、入射する光が多いのに対して、ＬＥＤ３０と導光板２０との距離が遠い端部では、発散する光の漏れが多く、入射する光が少なくなる。結果として、イルミネーション、照明光の明暗ムラの原因となる。また、ＬＥＤ３０の法線方向となる最も強度の強い光についても、中央部からの光は導光板２０に垂直に入射するが、端部からの光は円弧の曲率分だけ入射角が変化し、反射ロスがある分、入射効率が低下する（図２０（ａ）参照）。
【００７４】
これに対し、導光板２０の外形形状を多角形形状とし、ＬＥＤ３０の発光面と導光板２０の側面とを平行にすることで、ＬＥＤ３０と導光板２０との距離が、図２１（ｂ）及び図２１（ｃ）に示すように、中央部と端部で同じになる。また、導光板２０への光の入射角度も、図２１（ａ）に示すように、中央部と端部で同じになる。これにより、場所による光の漏れロスや入光効率のばらつきを低減することができ、明暗ムラの原因を解消することができる。
【００７５】
また、ＬＥＤ３０の発光面と導光板２０の内側面とを平行にすることで、開口部２２が円弧状の場合と比較して、ＬＥＤ３０を配置する際の導光板２０とＬＥＤ３０との間の位置決めを容易にできるという効果もある。
【００７６】
このように、本実施形態によれば、本実施形態によれば、発光輝度の面内均一性が高く色むらの少ないリング状のイルミネーション装置を実現することができる。
【００７７】
［第４実施形態］
第４実施形態による電子機器について図２２乃至図２６を用いて説明する。図１乃至図２１に示す第１乃至第３実施形態によるイルミネーション装置と同様の構成要素には同一の符号を付し説明を省略し又は簡潔にする。
【００７８】
図２２乃至図２４は、本実施形態による電子機器の構造を示す斜視図である。図２５及び図２６は、本実施形態による電子機器の動作を説明するフローチャートである。
【００７９】
本実施形態では、第１乃至第３実施形態によるイルミネーション装置を適用した電子機器の一例として、第１乃至第３実施形態によるイルミネーション装置を適用した携帯電話機を示す。
【００８０】
図２２に示す携帯電話機８０は、第１筐体８２と第２筐体８４とを有し、第１筐体８２と第２筐体８４とは折り畳み可能に形成されている。図２２は携帯電話機８０を開いた状態を示し、図２３及び図２４は携帯電話機８０を閉じた状態を示している。
【００８１】
図２２に示すように、第１筐体８２には、文字入力キー、テンキー、十字キー、決定キー及びその他の機能キーを含む入力デバイスを有する操作部８６が設けられている。第２筐体８４には、所定の情報を表示するための表示部８８が設けられている。また、図２３或いは図２４に示すように、第２筐体８４の背面部には、発光部９０が設けられている。発光部９０は、特に限定されるものではないが、例えば、電話や電子メールの着信を視覚的に知らせるためのものである。発光部９０は、操作部８６や表示部８８に配置するようにしてもよい。
【００８２】
図２３及び図２４に示す携帯電話機８０は、発光部９０として第１乃至第３実施形態のいずれかのイルミネーション装置１０を適用した例である。
【００８３】
例えば図１に示す第１実施形態のイルミネーション装置１０において、６個のＬＥＤ３０の発光色を任意に組み合わせることで、図２３に示すように、発光部９０に様々な点灯パターンを表示することができる。また、６個のＬＥＤ３０の発光のタイミングを任意に組み合わせることで、発光部９０の点灯パターンを動的に変化することもできる。また、図２４に示すように、発光部９０にアクセサリを配置し、イルミネーション装置１０によってアクセサリを光らせることもできる。
【００８４】
携帯電話機８０の発光部９０は、例えば、電話や電子メールの着信やアラートを知らせるためのインターフェースとして利用することができる。また、アドレス帳に登録されている個人情報と点灯パターンとを予め関連付けておけば、電話や電子メールの着信通知機能に加え、電話の発信元や電子メールの送信元を視覚的に知らせることにも利用できる。
【００８５】
このような機能は、例えば図２５及び図２６に示すような処理を行う制御装置を用いて実現することができる。
【００８６】
図２５は、電話の発信元や電子メールの送信元を視覚的に知らせるための制御装置６０の一例である。
【００８７】
まず、受信機６２により、電話や電子メールなどの情報を受信する。
【００８８】
次いで、送信元判定部６４により、着信した情報をアドレス帳に登録されている情報と照合し、電話の発信元や電子メールの送信元を判別する。
【００８９】
次いで、判別された発信元・送信元に関連付けられた点灯パターンの情報をデータベース６６から入手し、入手した点灯パターンの情報に基づいてＬＥＤ制御装置６８を駆動する。
【００９０】
これにより、イルミネーション装置１０の複数のＬＥＤ３０を所定の点灯パターンで点灯させ、携帯電話機８０のユーザに着信並びに着信先を視覚的に知らせることができる。
【００９１】
図２６は、アラートを視覚的に知らせるための制御装置６０の一例である。
【００９２】
まず、携帯電話機８０のユーザ等により、アラート情報格納部７０に、所定のアラート情報が格納される。アラート情報としては、例えば、ユーザに所定の時間を知らせるためのアラート情報がある。
【００９３】
次いで、アラート要否判定部７２により、現在の時間とアラート情報格納部７０に格納されているアラート情報とを比較し、アラートの発生の要否を判定する。
【００９４】
現在の時間とアラート情報格納部７０に格納されているアラート情報が一致したときには、点灯パターンの情報をデータベース６６から入手し、入手した点灯パターンの情報に基づいてＬＥＤ制御装置６８を駆動する。
【００９５】
これにより、イルミネーション装置１０の複数のＬＥＤ３０を所定の点灯パターンで点灯させ、携帯電話機８０のユーザにアラートを視覚的に知らせることができる。
【００９６】
携帯電話機８０の発光部９０に第１乃至第４実施形態のイルミネーション装置を用いることにより、リング状に発光する様々な点灯パターンを実現することができる。また、第１乃至第３実施形態のイルミネーション装置は、発光輝度の面内均一性が高く色むらが少ないことから、視覚的に綺麗な点灯パターンを得ることができる。
【００９７】
また、第１乃至第４実施形態のイルミネーション装置は、ＬＥＤ３０から発せられた光を導光板２０の側面から入射して導光板２０の表面側に出射するものであり、イルミネーション装置の厚みを薄くできるメリットもある。これにより、イルミネーション装置を搭載した電子機器の小型化・薄型化を図ることができる。
【００９８】
このように、本実施形態によれば、電子機器の外装部に、発光輝度が均一で色むらの少ない様々な点灯パターンを表示することができ、インターフェースとしての役割やデザイン性を向上することができる。また、また、イルミネーション装置を搭載した電子機器の小型化・薄型化を図ることができる。
【００９９】
［第５実施形態］
第５実施形態による電子機器について図２７乃至図３０を用いて説明する。図１乃至図２１に示す第１乃至第３実施形態によるイルミネーション装置並びに図２２乃至図２６に示す第４実施形態による電子機器と同様の構成要素には同一の符号を付し説明を省略し又は簡潔にする。
【０１００】
図２７乃至図３０は、イルミネーション装置の電子機器への実装態様を示す概略図である。
【０１０１】
本実施形態では、第１乃至第３実施形態のイルミネーション装置を電子機器に搭載する際の実装形態について説明する。
【０１０２】
第１乃至第３実施形態のイルミネーション装置を電子機器に搭載する方法は、特に限定されるものではないが、例えば図２５乃至図２８に示すような種々の態様が考えられる。
【０１０３】
図２７に示す方法は、電子機器の部品５０と導光板２０とを一体形成するものである。導光板２０を形成する部分の外装部品を厚くして、段差部分にＬＥＤ３０を配置する。外装部品５０と導光板２０とを一体形成することにより、外装部品５０と導光板２０との間の位置ずれが生じることはなく、また、部品点数を削減できる効果もある。ＬＥＤ３０は、導光板２０を一体形成した外装部品５０に固定してもよいし、外装部品５０に対向配置される回路基板上に形成してもよい。このような実装方法は、例えば図２３に示す携帯電話８０の第２筐体８４の外装部品として適用可能である。
【０１０４】
図２３示す第２筐体８４は、図２７に示す外装部品５０を用い、例えば図２８に示すような構造とすることができる。
【０１０５】
回路基板９２の一方の面（図面において下側）には、液晶表示装置９４と、所定の実装部品９６が搭載されている。また、回路基板９２の他方の面（図面において上側）には、所定の実装部品９６と、ＬＥＤ３０が実装されている。実装部品９６には、例えば、制御装置６０を形成する部品が含まれる。この回路基板９２は、導光板２０を一体形成した外装部品５０と外装部品９８とにより形成される第２筐体８４内に内包されている。外装部品５０と外装部品９８との間をテープなどの密着材１００で密封すれば、止水カバーを兼ねる筐体を形成することもできる。回路基板９２上に形成されたＬＥＤ３０は、導光板２０の開口部２２に位置するように配置されており、回路基板９２と外装部品５０との組み合わせによってイルミネーション装置１０が形成される。
【０１０６】
外装部品５０と導光板２０とを一体形成する場合、材料中に拡散材を混合し、外装部品５０にレンズシート（拡散シート）と同様の効果を持たせるようにしてもよい。
【０１０７】
外装部品５０と導光板２０とを一体形成する場合、材料中に拡散材を混合し、外装部品５０にレンズシート（拡散シート）と同様の効果を持たせるようにしてもよい。この場合、例えば図２９（ａ）に示すように、外装部品の全体に拡散材を混合してもよいし、例えば図２９（ｂ）に示すように、２色成型で導光板２０部分は透明材とし、本来のケースになる部分を拡散材を含む材料としてもよい。
【０１０８】
図３０に示す方法は、図２７に示す外装部品５０を覆うように外装カバー５２を設けた例である。外装カバー５２のイルミネーション装置１０上にアクセサリ５４を嵌め込めば、イルミネーション装置１０によってアクセサリ５４を光らせることができる。この際、外装部品５０の表面に凹部５６を形成し、アクセサリ５４の干渉を抑えるようにしてもよい。このような実装方法は、例えば図２４に示す携帯電話８０の第２筐体８４の外装部品として適用可能である。
【０１０９】
［変形実施形態］
上記実施形態に限らず種々の変形が可能である。
【０１１０】
例えば、上記第１乃至第３実施形態では、リング状の帯領域を発光領域とするイルミネーション装置を示したが、必ずしもリング状の帯領域の全体を発光領域とする必要はない。上記実施形態によるイルミネーション装置では、プリズム２４を設けた部分が発光領域となるため、プリズム２４を形成する領域を適宜選択することにより、リング状の帯領域のうちの特定の領域だけを選択的に発光させることもできる。
【０１１１】
例えば、リング状の帯領域のうちの所定の角度の領域だけを発光したり、同心円をなす複数のリングのパターンを発光することができる。所定の角度の領域だけを発光する場合、ＬＥＤ３０の数を減らしてもよい。
【０１１２】
また、上記第１乃至第３実施形態では、リング状の発光領域を有するイルミネーション装置を示したが、リング状のプリズム２４の内径を小さくし、円形の発光領域を形成するようにしてもよい。
【０１１３】
また、上記第１実施形態では円形の複数の溝２６を有するプリズム２４を用い、第２及び第３実施形態では螺旋状の溝２６を有するプリズム２４を用いたが、プリズム２４を形成する溝２６は、必ずしも真円を描くように形成されたものでなくてもよい。例えば、楕円状にリングや螺線を描くように形成された溝を用いてもよい。
【０１１４】
また、上記第４及び第５実施形態では、第１乃至第３実施形態のイルミネーション装置を携帯電話機に適用した例を示したが、携帯電話機のみならずイルミネーション装置が求められる種々の電子機器に広く適用することができる。
【０１１５】
また、上記実施形態に記載したイルミネーション装置並びに電子機器の構造や構成材料等は、一例を示したものにすぎず、当業者の技術常識等に応じて適宜修正や変更が可能である。
【０１１６】
以上の実施形態に関し、更に以下の付記を開示する。
【０１１７】
（付記１）  平板状の導光板と、
前記導光板の側面に発光面が対向するように配置され、前記側面から前記導光板内に光を入射する複数の光源とを有し、
前記導光板の一方の表面に、前記導光板の中央部を囲うように配置され、前記複数の光源から発せられて前記導光板内を伝搬する光を反射して前記導光板の他方の表面から出射するプリズムが形成されており、
前記プリズムは、前記複数の光源のそれぞれに対して、前記光源から発せられた前記光を、前記導光板の前記中央部を挟んで前記光源に対向する領域において前記他方の表面から出射するように、形成されている
ことを特徴とするイルミネーション装置。
【０１１８】
（付記２）  付記１記載のイルミネーション装置において、
前記プリズムは、前記複数の光源のそれぞれに対して、前記光源から発せられた前記光を、前記光源と前記導光板の前記中央部との間の領域において前記他方の表面から出射しないように、形成されている
ことを特徴とするイルミネーション装置。
【０１１９】
（付記３）  付記１又は２記載のイルミネーション装置において、
前記プリズムは、同心円状に配置された複数のリング状の溝を有する
ことを特徴とするイルミネーション装置。
【０１２０】
（付記４）  付記１又は２記載のイルミネーション装置において、
前記プリズムは、螺旋状の溝を有する
ことを特徴とするイルミネーション装置。
【０１２１】
（付記５）  付記３又は４記載のイルミネーション装置において、
前記溝は、前記導光板の前記側面側に位置する第１の斜面と、前記導光板の前記中央部側に位置する第２の斜面とを有するＶ字型の溝により形成されている
ことを特徴とするイルミネーション装置。
【０１２２】
（付記６）  付記５記載のイルミネーション装置において、
前記導光板の前記一方の表面と前記第１の斜面との成す角度が１度〜５度であり、前記導光板の前記一方の表面と前記第２の斜面との成す角度が４１度〜４６度である
ことを特徴とするイルミネーション装置。
【０１２３】
（付記７）  付記３乃至６のいずれか1項に記載のイルミネーション装置において、
前記光源から離間するほどに、前記溝間のピッチが狭くなっている
ことを特徴とするイルミネーション装置。
【０１２４】
（付記８）  付記３乃至７のいずれか１項に記載のイルミネーション装置において、
前記光源から離間するほどに、前記溝の深さが深くなっている
ことを特徴とするイルミネーション装置。
【０１２５】
（付記９）  付記３乃至８のいずれか１項に記載のイルミネーション装置において、
前記溝間のピッチは、０．２ｍｍ以下である
ことを特徴とするイルミネーション装置。
【０１２６】
（付記１０）  付記１乃至９のいずれか１項に記載のイルミネーション装置において、
前記導光板は，前記複数の光源の数に応じた角数の多角形形状を有する
ことを特徴とするイルミネーション装置。
【０１２７】
（付記１１）  付記１乃至１０のいずれか１項に記載のイルミネーション装置において、
前記光源の前記発光面に対向する前記導光体の前記側面が平坦になっている
ことを特徴とするイルミネーション装置。
【０１２８】
（付記１２）  付記１乃至１１のいずれか１項に記載のイルミネーション装置において、
前記導光板の前記他方の表面側に配置されたレンズシートを更に有する
ことを特徴とするイルミネーション装置。
【０１２９】
（付記１３）  付記１２記載のイルミネーション装置において、
前記レンズシートは、複数の球面レンズが格子状に配置されたレンズアレイシートである
ことを特徴とするイルミネーション装置。
【０１３０】
（付記１４）  付記１２記載のイルミネーション装置において、
前記レンズシートは、複数のシリンドリカルレンズが平行に配置された２枚のレンチキュラ-レンズシートを、前記シリンドリカルレンズが互いに交差するように貼り合わせたものである
ことを特徴とするイルミネーション装置。
【０１３１】
（付記１５）  付記１２記載のイルミネーション装置において、
前記レンズシートは、光を拡散する拡散材を含む光拡散シートである
ことを特徴とするイルミネーション装置。
【０１３２】
（付記１６）  平板状の導光板と、前記導光板の側面に発光面が対向するように配置され、前記側面から前記導光板内に光を入射する複数の光源とを有し、前記導光板の一方の表面に、前記導光板の中央部を囲うように配置され、前記複数の光源から発せられて前記導光板内を伝搬する光を反射して前記導光板の他方の表面から出射するプリズムが形成されており、前記プリズムは、前記複数の光源のそれぞれに対して、前記光源から発せられた前記光を、前記導光板の前記中央部を挟んで前記光源に対向する領域において前記他方の表面から出射するように、形成されているイルミネーション装置と、
前記イルミネーション装置の前記光源を制御する制御装置と
を有することを特徴とする電子機器。
【０１３３】
（付記１７）  付記１６記載の電子機器において、
前記複数の光源は、前記制御装置が形成された回路基板に形成されており、
前記複数の光源が形成された前記回路基板上に、前記導光板が配置されている
ことを特徴とする電子機器。
【０１３４】
（付記１８）  付記１６又は１７記載の電子機器において、
前記導光板は、外装部品と一体形成されている
ことを特徴とする電子機器。
【０１３５】
（付記１９）  付記１８記載の電子機器において、
前記外装部品は、光を拡散する拡散材を含む
ことを特徴とする電子機器。
【符号の説明】
【０１３６】
１０…イルミネーション装置
２０…導光板
２２…開口部
２４…プリズム
２６…溝
２６ａ，２６ｂ…斜面
２８…光線
３０…ＬＥＤ
４０…レンズシート
４２ａ…マイクロレンズ
４２ｂ…シリンドリカルレンズ
４２ｃ…拡散材
５０，９８…外装部品
５２…外装カバー
５４…アクセサリ
５６…凹部
６０…制御装置
６２…受信機
６４…送信元判定部
６６…データベース
６８…ＬＥＤ制御装置
７０…アラート情報格納部
７２…アラート要否判定部
８０…携帯電話機
８２…第１筐体
８４…第２筐体
８６…操作部
８８…表示部
９０…発光部
９２…回路基板
９４…液晶表示装置
９６…実装部品
１００…密着材
【図１】
2013200490.tif 000003
【図２】
2013200490.tif 000004
【図３】
2013200490.tif 000005
【図４】
2013200490.tif 000006
【図５】
2013200490.tif 000007
【図６】
2013200490.tif 000008
【図７】
2013200490.tif 000009
【図８】
2013200490.tif 000010
【図９】
2013200490.tif 000011
【図１０】
2013200490.tif 000012
【図１１】
2013200490.tif 000013
【図１２】
2013200490.tif 000014
【図１３】
2013200490.tif 000015
【図１４】
2013200490.tif 000016
【図１５】
2013200490.tif 000017
【図１６】
2013200490.tif 000018
【図１７】
2013200490.tif 000019
【図１８】
2013200490.tif 000020
【図１９】
2013200490.tif 000021
【図２０】
2013200490.tif 000022
【図２１】
2013200490.tif 000023
【図２２】
2013200490.tif 000024
【図２３】
2013200490.tif 000025
【図２４】
2013200490.tif 000026
【図２５】
2013200490.tif 000027
【図２６】
2013200490.tif 000028
【図２７】
2013200490.tif 000029
【図２８】
2013200490.tif 000030
【図２９】
2013200490.tif 000031
【図３０】
2013200490.tif 000032
【手続補正書】
【提出日】平成24年3月26日(2012.3.26)
【手続補正１】
【補正対象書類名】明細書
【補正対象項目名】全文
【補正方法】変更
【補正の内容】
【発明の詳細な説明】
【技術分野】
【０００１】
本発明は、イルミネーション装置及びイルミネーション装置を備えた電子機器に関する。
【背景技術】
【０００２】
電子機器には、種々の目的で様々なイルミネーション装置が用いられている。例えば携帯電話機等の携帯情報端末では、電話や電子メールの着信をユーザに知らせるインターフェースとして、様々な発光パターンを発生するイルミネーション装置が用いられている。また、イルミネーション装置は装置デザインの一部としても考えられており、着信を知らせるというインターフェースとしての機能に加え、外装の一部を光らせることによる装飾的効果をも発揮する。
【先行技術文献】
【特許文献】
【０００３】
【特許文献１】特開２００２−２０８３０８号公報
【特許文献２】特開２００３−０５７４４８号公報
【特許文献３】特開２００３−２６２７３４号公報
【特許文献３】特開２００３−３０８７５２号公報
【特許文献４】国際公開第２００７／０２０８２０号パンフレット
【発明の概要】
【発明が解決しようとする課題】
【０００４】
電子機器に搭載されるイルミネーション装置には、電子機器の機能や構造に応じた様々な形状の発光領域が求められる。また、装飾的効果等を向上する観点から、暗部のない均一な発光分布を有し、また、入光効率高く高輝度であることが望まれる。
【０００５】
本発明の目的は、リング状の発光領域を実現しうる高性能のイルミネーション装置及びこのようなイルミネーション装置を搭載した電子機器を提供することにある。
【課題を解決するための手段】
【０００６】
実施形態の一観点によれば、平板状の導光板と、前記導光板の側面に発光面が対向するように配置され、前記側面から前記導光板内に光を入射する複数の光源とを有し、前記導光板の一方の表面に、前記導光板の中央部を囲うように配置され、前記複数の光源から発せられて前記導光板内を伝搬する光を反射して前記導光板の他方の表面から出射するプリズムが形成されており、前記プリズムは、前記複数の光源のそれぞれに対して、前記光源から発せられた前記光を、前記導光板の前記中央部を挟んで前記光源に対向する領域において前記他方の表面から出射するように、形成されているイルミネーション装置が提供される。
【０００７】
また、実施形態の他の観点によれば、平板状の導光板と、前記導光板の側面に発光面が対向するように配置され、前記側面から前記導光板内に光を入射する複数の光源とを有し、前記導光板の一方の表面に、前記導光板の中央部を囲うように配置され、前記複数の光源から発せられて前記導光板内を伝搬する光を反射して前記導光板の他方の表面から出射するプリズムが形成されており、前記プリズムは、前記複数の光源のそれぞれに対して、前記光源から発せられた前記光を、前記導光板の前記中央部を挟んで前記光源に対向する領域において前記他方の表面から出射するように、形成されているイルミネーション装置と、前記イルミネーション装置の前記光源を制御する制御装置とを有する電子機器が提供される。
【発明の効果】
【０００８】
開示のイルミネーション装置及び電子機器によれば、リング状の発光領域を有し、発光輝度の面内均一性が高く高輝度のイルミネーション装置、並びに、このようなイルミネーション装置を有する電子機器を実現することができる。
【図面の簡単な説明】
【０００９】
【図１】図１は、第１実施形態によるイルミネーション装置の構造を示す平面図及び概略断面図である。
【図２】図２は、導光板に形成されたプリズムの溝の構造を示す概略断面図（その１）である。
【図３】図３は、導光板に形成されたプリズムの溝の構造を示す概略断面図（その２）である。
【図４】図４は、導光板に形成されたプリズムの溝の構造を示す概略断面図（その３）である。
【図５】図５は、導光板に形成されたプリズムの溝の構造を示す概略断面図（その４）である。
【図６】図６は、第１実施形態によるイルミネーション装置の効果を示す図である。
【図７】図７は、一般的なＬＥＤの配向特性を示すグラフ（その１）である。
【図８】図８は、一般的なＬＥＤの配向特性を示すグラフ（その２）である。
【図９】図９は、一般的なＬＥＤの配向特性を示すグラフ（その３）である。
【図１０】図１０は、レンズシートの構造を示す斜視図（その１）である。
【図１１】図１１は、レンズシートの構造を示す斜視図（その２）である。
【図１２】図１２は、レンズシートの構造を示す斜視図（その３）である。
【図１３】図１３は、比較例によるイルミネーション装置の構造を示す概略図（その１）である。
【図１４】図１４は、比較例によるイルミネーション装置の構造を示す概略図（その２）である。
【図１５】図１５は、比較例によるイルミネーション装置の構造を示す概略図（その３）である。
【図１６】図１６は、第２実施形態によるイルミネーション装置の構造を示す平面図である。
【図１７】図１７は、第３実施形態によるイルミネーション装置の構造を示す平面図（その１）である。
【図１８】図１８は、第３実施形態によるイルミネーション装置の構造を示す平面図（その２）である。
【図１９】図１９は、第３実施形態によるイルミネーション装置の構造を示す平面図（その３）である。
【図２０】図２０は、導光板の開口部の内側面の形状による影響を説明する図（その１）である。
【図２１】図２１は、導光板の開口部の内側面の形状による影響を説明する図（その２）である。
【図２２】図２２は、第４実施形態による電子機器の構造を示す斜視図（その１）である。
【図２３】図２３は、第４実施形態による電子機器の構造を示す斜視図（その２）である。
【図２４】図２４は、第４実施形態による電子機器の構造を示す斜視図（その３）である。
【図２５】図２５は、第４実施形態による電子機器の動作を説明する図（その１）である。
【図２６】図２６は、第４実施形態による電子機器の動作を説明する図（その２）である。
【図２７】図２７は、第５実施形態による電子機器の構造を示す概略図（その１）である。
【図２８】図２８は、第５実施形態による電子機器の構造を示す概略図（その２）である。
【図２９】図２９は、第５実施形態による電子機器の構造を示す概略図（その３）である。
【図３０】図３０は、第５実施形態による電子機器の構造を示す概略図（その４）である。
【発明を実施するための形態】
【００１０】
［第１実施形態］
第１実施形態によるイルミネーション装置について図１乃至図１２を用いて説明する。
【００１１】
図１は、本実施形態によるイルミネーション装置の構造を示す平面図及び概略断面図である。図２乃至図５は、導光板に形成されたプリズムの溝の構造を示す概略断面図である。図６は、本実施形態によるイルミネーション装置の効果を示す図である。図７乃至図９は、一般的なＬＥＤの配向特性を示すグラフである。図１０乃至図１２は、レンズシートの構造を示す斜視図である。
【００１２】
はじめに、本実施形態によるイルミネーション装置の構造について図１乃至図１２を用いて説明する。なお、図１（ａ）は本実施形態によるイルミネーション装置の平面図であり、図１（ｂ）は図１（ａ）のＡ−Ａ′線断面図である。
【００１３】
本実施形態によるイルミネーション装置１０は、図１（ａ）及び図１（ｂ）に示すように、平板状の導光板２０と、導光板２０の周囲に配置された複数のＬＥＤ３０と、導光板２０上に配置されたレンズシート４０とを有している。
【００１４】
導光板２０は、可視光を透過する材料、例えばアクリル樹脂等からなる板状体であり、対向する２つの表面と、外周部の側面とを有している。導光板２０の平面形状は、例えば図１（ａ）に示すように、円形である。
【００１５】
導光板２０の、レンズシート４０が配置された側とは反対側の表面には、プリズム２４が設けられている。プリズム２４は、導光板２０の表面に同心円状に設けられた複数の円形の溝２６により形成されている。溝２６は、図には点線で描いているが、断続的に設けられたものではなく、周回する連続した溝である。
【００１６】
溝２６は、例えば図２に示すように、導光板２０の中心側に位置し導光板２０の表面に対する斜度がθ１である斜面２６ａと、導光板２０の外周側に位置し導光板２０の表面に対する斜度がθ２である斜面２６ｂとを有するＶ字型の溝である。なお、導光板２０の中心とは、プリズム２４の複数の溝２６を描く同心円の中心点である。
【００１７】
斜面２６ａの斜度θ１は、導光板２０内を伝搬する光が斜面２６ａによって反射されたときに、反射された光が導光板２０の表面に対して全反射臨界角よりも大きい角度で入射して導光板２０から出射するように、設定されている（図２中、光線２８ａを参照）。
【００１８】
一方、斜面２６ｂの斜度θ２は、導光板２０内を伝搬する光が斜面２６ｂによって反射されたときに、反射された光が導光板２０の表面に対して全反射臨界角よりも小さい角度で入射して導光板２０内に戻るように、設定されている（図２中、光線２８ｂを参照）。
【００１９】
ＬＥＤ３０は、発光面の法線方向がプリズム２４の複数の溝２６を描く同心円の中心点を向くように、導光板２０の側面に沿って等間隔に配置されている。これにより、ＬＥＤ３０から発せられた光が導光板２０の側面から導光板２０内に導入されるようになっている。
【００２０】
導光板２０の側面には、図１（ａ）に示すように、例えば６個のＬＥＤ３０が等間隔に配置される。隣接するＬＥＤ３０の発光面の法線方向は、互いに６０度の角度を成している。ＬＥＤ３０の配置間隔は、発光強度の面内均一性を向上する観点から、均一であることが望ましい。ＬＥＤ３０の数は、導光板２０及びＬＥＤ３０の大きさ等に応じて、発光強度が面内均一になるように、適宜選択することができる。
【００２１】
ＬＥＤ３０は、特に限定されるものではなく、単色のＬＥＤであってもよいし、ＲＧＢ一体型のＬＥＤであってもよい。また、本実施形態では、代表的な光源としてＬＥＤを例にして説明するが、使用する光源は、ＬＥＤに限定されるものではない。例えば、ＬＥＤに代えて、小型ランプ、有機エレクトロルミネッセンス（ＥＬ）素子等を用いてもよい。
【００２２】
各ＬＥＤ３０には、図示しない制御装置が接続される。この制御装置は、ＬＥＤ３０を点灯・消灯し、ＲＧＢ一体型のＬＥＤを用いる場合にあっては発光色の制御を行うものである。制御装置により、各ＬＥＤ３０の発光タイミングや発光色を制御することができる。複数のＬＥＤ３０は、一括制御してもよいし、個別に制御してもよい。また、複数のＬＥＤ３０を順次点灯・消灯するなど、発光・消灯のタイミングを制御するようにしてもよい。
【００２３】
ＬＥＤ３０から発せられた光は、導光板２０の側面から導光板２０内に導入される。  図３において、左側のＬＥＤ３０から導光板２０内に入射する光に着目すると、導光板２０の中心よりもＬＥＤ３０側に位置するプリズム２４の溝２６の斜面２６ａは、導光板２０の側面から中心方向へ向かう光に対して陰になる。このため、導光板２０の中心方向へ向かう光は、プリズム２４の溝２６の斜面２６ｂには入射するが、斜面２６ａには入射しない。
【００２４】
プリズム２４の溝２６の斜面２６ｂに入射した光のうち全反射条件を満たす光は、斜面２６ｂで反射される。斜面２６ｂの斜度θ２は反射された光が導光板２０の表面に対して全反射臨界角よりも小さい角度で入射するように設定されているため、導光板２０外に出射されることはない。これにより、導光板２０内に導入された光は、導光板２０の対向する表面において全反射を繰り返しながら導光板２０内を伝搬する。
【００２５】
ＬＥＤ３０から導光板２０の中心領域よりも離れた場所に位置するプリズム２４では、溝２６の斜面２６ａはＬＥＤ３０側に位置している。このため、導光板２０内を伝搬する光が導光板２０の中心領域を越えると、導光板２０内を伝搬する光はプリズム２４の溝２６の斜面２６ａに入射できるようになる。
【００２６】
導光板２０内を伝搬する過程でプリズム２４の溝２６の斜面２６ａに入射した光のうち、斜面２６ａに対して全反射条件を満たす光線は、斜面２６ａによって全反射される。溝２６の斜面２６ａによって全反射された光のうち、導光板２０の表面に対して全反射臨界角よりも大きい角度で入射した光は、プリズム２４形成面とは反対側の表面側から出射される。導光板２０の表面側から出射される光のうち、人の目に入射した光のみが、人は明るいと感じることができ、有効な光となる。
【００２７】
一方、溝２６の斜面２６ａに対して全反射条件を満たしていない光線（例えば、光線２８ｂ、図２中、点線で表す）は、溝２６の斜面２６ａを透過し、導光板２０のプリズム２４形成面側から出射され、有効な光とはならない。また、プリズム２４形成面とは反対側の表面側から出射された光であっても、人の目に入射しない光を人は感じることができないため、全反射条件を満たさない光と同様に有効な光とはならない。
【００２８】
導光板２０の表面から光が出ていても、人の目に光線が入る導光板の位置は明るく、人の目に光線が入らない導光板２０の位置は暗く感じる。導光板２０内を伝搬する光のうちより多くの光が全反射条件を満たして導光板の表面から出射し、人の目に入射する観点から、導光板２０の表面に対する溝２６の斜面２６ａの斜度θ１は、４０〜５０度の角度に設定することが望ましい。プリズム２４の斜面２６ａの斜度θ１を４０〜５０度の角度とすることにより、導光板２０内を水平方向に対して±１０度以内の角度範囲で伝搬する光を、導光板２０の鉛直方向に対して±１０度程度以内の角度で反射し、導光板２０外に出射することができる。
【００２９】
本実施形態によるイルミネーション装置のプリズム２４は、溝２６の斜面２６ａの斜度θ１を適宜設定することにより導光板２０からの出射角度を調整することができるため、視認者に直接光を向けることができる効率的な光学構成をとることが可能である。
【００３０】
プリズム２４としては、例えば図４に示すように、溝２６の斜面２６ｂと隣接する溝２６の斜面２６ａとが接するように複数の溝２６を配置した構造が考えられる。
【００３１】
このようなプリズム２４の場合、溝２６の斜面２６ａの斜度θ１を例えば４２度、斜面２６ｂの斜度θ２を例えば２度、溝２６間のピッチＰを例えば０．２ｍｍに設定する。この場合の深さＤは、斜度θ１，θ２及びピッチＰにより規定され、０．００７ｍｍ程度となる。
【００３２】
隣接する溝２６と溝２６との間に、例えば図５に示すように、導光板２０の表面に平行な領域を設けてもよい。
【００３３】
図４及び図５のプリズム２４では、斜度θ１を４１度〜４６度程度、斜度θ２を１度〜５度程度に設定することで、同等の効果を得ることができる。
【００３４】
ＬＥＤ３０から発せられた光は横方向に広がりながら伝搬するため、ＬＥＤ３０から発せられた光の強度は、ＬＥＤ３０に近いほど明るくなり、遠ざかるほど暗くなる。
【００３５】
図４及び図５に示すプリズムでは、水平から１．５度程度傾いた光がプリズム２４によって反射され、略垂直の角度で導光板２０から出射する。斜面２６ｂの斜度θ２を小さくすることで、ＬＥＤ３０からの光のうち水平から１．５度程度傾いた光が最初の溝２６の斜面２６ａで反射されて当該角度の光がなくなったとしても、他の角度の光が斜度θ２の斜面２６ｂに影響され、伝搬するうちに次々に作成される。したがって、斜度θ２を小さくすることにより、導光板２０内を伝搬する光の角度に影響を与え、分布の均一化を図ることが可能となる。
【００３６】
明るさの面内分布を相殺して面内均一化を図るために、プリズム２４の構造を適宜変更するようにしてもよい。
【００３７】
例えば、ＬＥＤ３０に近い場所では輝度が高いためピッチＰを大きく設定し、ＬＥＤ３０から遠ざかるに従って輝度が低くなるためこれを補うようにピッチＰを小さくすることができる。なお、ピッチＰが０．２ｍｍより大きいと、人が発光面を見たときにプリズム２４の間隔を分解することができてしまい、プリズム２４による反射部分と非プリズム部が縞模様となって見えてしまう。かかる観点から、溝２６のピッチＰは、０．２ｍｍ以下に設定することが望ましい。
【００３８】
溝２６のピッチＰを変化させる代わりに、溝２６の深さＤを変化させるようにしてもよい。溝２６が深いほど、すなわち溝２６の斜面２６ａの面積が大きいほど、反射される光の量が多くなる。そこで、ＬＥＤ３０に近い場所では輝度が高いため溝２６の深さＤを浅く設定し、ＬＥＤ３０から遠ざかるに従って輝度が低くなるためこれを補うように溝２６の深さＤを深くすることができる。
【００３９】
上述のように、本実施形態によるイルミネーション装置では、ＬＥＤ３０のそれぞれに対して、ＬＥＤ３０から発せられた光を、導光板２０の中央部を挟んでＬＥＤ３０に対向する領域において導光板２０から出射するように、プリズム２４が形成されている。また、ＬＥＤ３０のそれぞれに対して、ＬＥＤ３０から発せられた光を、ＬＥＤ３０と導光板の中央部との間の領域において導光板２０から出射するように、プリズム２４が形成されている。これは、発光強度の面内均一性を高めるためである。
【００４０】
図６に示すように、ＬＥＤ３０間の領域には、これらＬＥＤ３０からの光が直接入射されない暗部３２が存在する。この場合、ＬＥＤ３０に近い側のプリズム２４領域でＬＥＤ３０からの光を反射して導光板２０から出射すると、ＬＥＤ３０に近く輝度が大きいため、暗部３２との間の明暗の差が大きくなる。暗部３２には導光板２０の反対側の側面に配置されたＬＥＤ（図示せず）からの光が入射されるが、光源から離れた場所の明暗の差を解消するには不十分である。
【００４１】
これに対し、本実施形態によるイルミネーション装置ではＬＥＤ３０に近い側のプリズム２４領域では導光板２０から光を出射しないため、暗部３２との間の明暗の差が生じることはない。これにより、発光強度の面内均一性を向上することができる。また、反対側の側面に配置したＬＥＤ３０からの光はより広がってプリズム２４領域に到達するため、導光板２０の周囲に配置するＬＥＤ３０の数を減らすこともできる。これにより、部品点数の削減が可能となり、低コスト化・低消費電力化を図ることができる。
【００４２】
図７及び図８は、一般的なＬＥＤの配向特性を示すグラフである。図７は空気中における角度と発光強度との関係を極座標グラフに表したものであり、図８は空気中及び導光板内における発光強度と角度との関係２次元グラフに表したものである。これらグラフにおいて、角度は、ＬＥＤの発光面の法線方向から傾いた角度を表している。また、発光強度は、法線方向の発光強度により正規化した値を表している。
【００４３】
ＬＥＤ３０から発せられた光は、空気中から導光板２０内に入射する際、屈折率の違いによる影響を受けて配向特性が変化する。例えば図８に示すように、導光板２０の構成材料の屈折率が１．４９（アクリル樹脂）の場合、発光強度が０．５のときの角度は、空気中では５４度程度であるのに対し、導光板内では３２度程度となる。
【００４４】
ここで、厚さが０．５ｍｍの導光板２０に、斜面２６ａの斜度θ１が４２度、斜面２６ｂの斜度θ２が２度の溝２６を０．２ｍｍピッチで配置した４ｍｍ幅のリング状のプリズム２４を設けた場合を想定する。
【００４５】
導光板２０に入射した光が手前のプリズム２４領域を通過する際にプリズム２４の斜面２６ｂで反射する回数は、導光板２０に入射される際の角度に応じて１〜４回となる。図７に示すように、入射角度が約１７度以下の光は、プリズム２４を通過する間に１回反射する。入射角度が約１７度〜約２８度の光は、プリズム２４を通過する間に２回反射する。入射角度が約２８度〜約３８度の光は、プリズム２４を通過する間に３回反射する。入射角度が３８度以上の光は、プリズム２４を通過する際に４回反射する。
【００４６】
一方、光がプリズム２４の斜面２６ｂで反射される際には斜面２６ｂの斜度θ２による変調を受け、導光板２０の表面に対して成す角度は、徐々に大きくなる。この結果、入射角度が約３６度以上の光は、斜面２６ｂによる３回の反射によって全反射臨界角を上回り、導光板２０から出射されることになる。
【００４７】
しかしながら、導光板２０内から出射される光の割合は、図８に示すように、全体の光のうちの約６％程度であり、残りの約９４％の光は奥のプリズム２４領域まで伝搬することができる。
【００４８】
レンズシート４０は、特に限定されるものではないが、光を一旦集光した後に発散させるものが望ましい。光を一旦集光した後に発散させるレンズシート４０を設けることにより、導光板２０から出射される光の視認範囲を広げることができ、発光領域の全体を人の目によって認識することができる。
【００４９】
このようなレンズシートとしては、複数のレンズ構造体が周期的に配列されたレンズアレイシートを適用することができる。例えば、図１０に示すような、球面状のマイクロレンズ４２ａが格子状に配列されたマイクロレンズアレイシートを適用することができる。或いは、例えば図１１に示すような、複数のシリンドリカルレンズ４２ｂが並行するように配列された２枚のレンチキュラレンズシートを、シリンドリカルレンズ４２ｂが互いに交差するように貼り合わせたレンズシートを適用することができる。
【００５０】
或いは、レンズシート４０として光拡散シートを適用してもよい。光拡散シートとしては、例えば図１２に示すように材質内に光を拡散させるための拡散材４２ｃが入れられているもの、表面に凹凸を有するもの、乳白色などの不透明部材などを適用することができる。光拡散シートは、厳密にはレンズ効果を奏するものではないが、市場ではレンズシートと同種の素材として扱われ取引されるものである。本明細書においてレンズシートというときは、光拡散シートをも含むものとする。
【００５１】
なお、レンズシート４０は、視認性を高めるために配置するものであり、レンズシート４０がなくても十分な視認性を得られる場合には、必ずしも配置する必要はない。
【００５２】
本実施形態によるイルミネーション装置では、導光板２０の側面から入射した光を導光板２０の表面から出射している。これは、ＬＥＤ３０から発せられた光の光路長を長くして広がりを大きくするためである。
【００５３】
別のイルミネーション装置としては、例えば図１３及び図１４に示すような構造が考えられる。図１３（ａ）及び図１４（ａ）はイルミネーション装置の断面構造を示す断面図であり、図１３（ｂ）及び図１４（ｂ）はこのイルミネーション装置を搭載した電子部品を外部から見たときの発光状態を示す平面図である。
【００５４】
図１３のイルミネーション装置は、電子機器の外装部品５０の内側に接してＬＥＤ３０の発光面を配置したものである。ＬＥＤ３０から発せられた光は、外装部品５０内を伝搬した後に出射される。このイルミネーション装置の場合、ＬＥＤ３０から発せられた光は、外装部品５０内を伝搬する過程で横方向に広がる。しかしながら、電子機器の小型・薄型化等に伴い外装部品５０が薄くなるにつれ、横方向の広がりを十分に得られなくなる。その結果、外装部品の表面側から見ると、例えば図１３（ｂ）に示すように、発光強度に分布ムラが生じる。
【００５５】
図１４の照明装置は、図１３の照明装置と同様の構造において、ＲＧＢ一体型のＬＥＤ３０を用いた例である。ＬＥＤ３０としてＲＧＢ一体型のＬＥＤを用いる場合にあっては、例えば図１４（ａ）及び図１４（ｂ）に示すように、各色の光が十分に混じり合う前に外装部品５０から出射されてしまう。この結果、所望の色表現が困難となる。
【００５６】
これに対し、本実施形態によるイルミネーション装置では、ＬＥＤ３０から発せられた光を導光板２０の表面に対して平行な方向に伝搬した後、プリズム２４により反射された光を導光板２０の表面から垂直方向に出射する。このため、図１３及び図１４のイルミネーション装置と比較して、ＬＥＤ３０から発せられた光が導光板２０から出射されるまでの距離が長くなる。
【００５７】
したがって、導光板２０から出射されるまでに、ＬＥＤ３０から発せられた光は十分に広がることができ、発光強度の分布ムラを防止することができる。また、ＲＧＢ一体型のＬＥＤ３０を用いる場合にあっては、導光板２０から出射されるまでに各色の光が十分に混じり合うことができ、所望の色表現が可能となる。
【００５８】
また、更に他のイルミネーション装置としては、例えば図１５に示すような構造が考えられる。図１５のイルミネーション装置は、リング状の導光板２０に開口部２２を設け、開口部２２の内側面にＬＥＤ３０を配置したものである。このイルミネーション装置では、導光板２０の開口部２２内にＬＥＤ３０を配置するため、リング状の発光領域を小型化するほどにＬＥＤ３０の配置が困難になっていく。一般的なＲＧＢ一体型のＬＥＤ３０は４ｍｍ程度のサイズであり、リングの内径はこれよりも小さくすることはできない。
【００５９】
これに対し、本実施形態によるイルミネーション装置では、ＬＥＤ３０を導光板２０の周囲に配置するため、リングを小型化するうえでＬＥＤ３０の大きさや配置が影響することはない。
【００６０】
このように、本実施形態によれば、発光輝度の面内均一性が高く色むらの少ないリング状のイルミネーション装置を実現することができる。
【００６１】
［第２実施形態］
第２実施形態によるイルミネーション装置について図１６を用いて説明する。図１乃至図１２に示す第１実施形態によるイルミネーション装置と同様の構成要素には同一の符号を付し説明を省略し又は簡潔にする。
【００６２】
図１６は、本実施形態によるイルミネーション装置の構造を示す平面図である。
【００６３】
第１実施形態によるイルミネーション装置では、前述のように、導光板２０の表面に設けられた同心円状の複数の溝２６によりプリズム２４を形成した。
【００６４】
これに対し、本実施形態によるイルミネーション装置１０では、図１６に示すように、螺旋状に描かれた１本の溝２６によりプリズム２４を形成している。溝２６のピッチＰ、深さＤ、斜面２６ａの斜度θ１、斜面２６ｂの斜度θ２等のパラメータの設定方法は、第１実施形態の場合と同様である。また、溝２６を除くイルミネーション装置の他の構成も、第１実施形態によるイルミネーション装置と同様である。
【００６５】
プリズム２４を有する導光板２０の製造では、バイトなどの切削器具を用いて導光板２０を切削加工することにより溝２６を形成する。導光板２０の平面に切削器具を入刀すると、最初に入刀した部分にバリが発生し、その部分が特異点となり、光のノイズが発生する。溝２６の本数が多ければ多いほど切削器具を入刀する部分が多くなり、その数だけバリが発生し、ノイズが増加する。
【００６６】
そこで、本実施形態によるイルミネーション装置１０では、複数の溝２６を形成する代わりに１本の溝２６を螺旋状に形成することで一筆書き様の切削加工を可能とし、切削器具の入刀箇所を１箇所にする。これにより、バリが発生する部分を大幅に減らし、ノイズを最小限にとどめることが可能になる。これにより、発光輝度の面内均一性を更に向上し、まら、色むらの発生を更に抑制することができる。
【００６７】
このように、本実施形態によれば、発光輝度の面内均一性が高く色むらの少ないリング状のイルミネーション装置を実現することができる。
【００６８】
［第３実施形態］
第３実施形態によるイルミネーション装置について図１７乃至図２１を用いて説明する。図１乃至図１６に示す第１及び第２実施形態によるイルミネーション装置と同様の構成要素には同一の符号を付し説明を省略し又は簡潔にする。
【００６９】
図１７乃至図１９は、本実施形態によるイルミネーション装置の構造を示す平面図である。図２０及び図２１は、導光板の側面の形状による影響を説明する図である。
【００７０】
第１及び第２実施形態によるイルミネーション装置では、前述のように、導光板２０の平面形状を円形とした。
【００７１】
これに対し、本実施形態によるイルミネーション装置１０では、図１７乃至図１９に示すように、導光体２０の平面形状を多角形形状とし、ＬＥＤ３０の発光面と導光板２０の内側面とが平行になるように配置している。図１７は、導光板２０の外形形状を四角形とし、四角形の各辺にＬＥＤ３０を配置した例である。図１８は、導光板２０の外形形状を五角形とし、五角形の各辺にＬＥＤ３０を配置した例である。図１９は、導光板２０の外形形状を六角形とし、六角形の各辺にＬＥＤ３０を配置した例である。
【００７２】
ＬＥＤ３０が例えば４個と少ない場合でも、ＬＥＤ３０からプリズム２４までの距離があるため、光は十分に広がりなだらかな分布を得ることが可能となる。ＬＥＤ３０が例えば６個と多い場合には、隣接するＬＥＤ３０から発せられた光の混色が生じることも考えられるが、混色によりグラデーションがかかり、なだらかな色変化を実現することが可能となる。ＬＥＤ３０の個数は、イルミネーション装置を適用する電子機器の構造や設計上の要求等に応じて適宜選択することができる。
【００７３】
導光板２０は、ＬＥＤ３０の数に対応する角数の多角形により形成してもよいし、ＬＥＤ３０の数よりも多い画数の多角形により形成してもよい。例えば、八角形の導光板２０の８つの辺のうちの４つのみにＬＥＤ３０を配置するようにしてもよい。また、導光板２０の外形形状は、必ずしも正多角形である必要はない。
【００７４】
導光板２０の側面が円弧状などの曲線の場合、図２０（ｂ）及び図２０（ｃ）に示すように、ＬＥＤ３０の中央部と端部とにおいて、ＬＥＤ３０と導光板２０との間の距離が異なっている。ＬＥＤ３０と導光板２０との距離が近い中央部では、発散する光の漏れが少なく、入射する光が多いのに対して、ＬＥＤ３０と導光板２０との距離が遠い端部では、発散する光の漏れが多く、入射する光が少なくなる。結果として、イルミネーション、照明光の明暗ムラの原因となる。また、ＬＥＤ３０の法線方向となる最も強度の強い光についても、中央部からの光は導光板２０に垂直に入射するが、端部からの光は円弧の曲率分だけ入射角が変化し、反射ロスがある分、入射効率が低下する（図２０（ａ）参照）。
【００７５】
これに対し、導光板２０の外形形状を多角形形状とし、ＬＥＤ３０の発光面と導光板２０の側面とを平行にすることで、ＬＥＤ３０と導光板２０との距離が、図２１（ｂ）及び図２１（ｃ）に示すように、中央部と端部で同じになる。また、導光板２０への光の入射角度も、図２１（ａ）に示すように、中央部と端部で同じになる。これにより、場所による光の漏れロスや入光効率のばらつきを低減することができ、明暗ムラの原因を解消することができる。
【００７６】
また、ＬＥＤ３０の発光面と導光板２０の内側面とを平行にすることで、開口部２２が円弧状の場合と比較して、ＬＥＤ３０を配置する際の導光板２０とＬＥＤ３０との間の位置決めを容易にできるという効果もある。
【００７７】
このように、本実施形態によれば、本実施形態によれば、発光輝度の面内均一性が高く色むらの少ないリング状のイルミネーション装置を実現することができる。
【００７８】
［第４実施形態］
第４実施形態による電子機器について図２２乃至図２６を用いて説明する。図１乃至図２１に示す第１乃至第３実施形態によるイルミネーション装置と同様の構成要素には同一の符号を付し説明を省略し又は簡潔にする。
【００７９】
図２２乃至図２４は、本実施形態による電子機器の構造を示す斜視図である。図２５及び図２６は、本実施形態による電子機器の動作を説明するフローチャートである。
【００８０】
本実施形態では、第１乃至第３実施形態によるイルミネーション装置を適用した電子機器の一例として、第１乃至第３実施形態によるイルミネーション装置を適用した携帯電話機を示す。
【００８１】
図２２に示す携帯電話機８０は、第１筐体８２と第２筐体８４とを有し、第１筐体８２と第２筐体８４とは折り畳み可能に形成されている。図２２は携帯電話機８０を開いた状態を示し、図２３及び図２４は携帯電話機８０を閉じた状態を示している。
【００８２】
図２２に示すように、第１筐体８２には、文字入力キー、テンキー、十字キー、決定キー及びその他の機能キーを含む入力デバイスを有する操作部８６が設けられている。第２筐体８４には、所定の情報を表示するための表示部８８が設けられている。また、図２３或いは図２４に示すように、第２筐体８４の背面部には、発光部９０が設けられている。発光部９０は、特に限定されるものではないが、例えば、電話や電子メールの着信を視覚的に知らせるためのものである。発光部９０は、操作部８６や表示部８８に配置するようにしてもよい。
【００８３】
図２３及び図２４に示す携帯電話機８０は、発光部９０として第１乃至第３実施形態のいずれかのイルミネーション装置１０を適用した例である。
【００８４】
例えば図１に示す第１実施形態のイルミネーション装置１０において、６個のＬＥＤ３０の発光色を任意に組み合わせることで、図２３に示すように、発光部９０に様々な点灯パターンを表示することができる。また、６個のＬＥＤ３０の発光のタイミングを任意に組み合わせることで、発光部９０の点灯パターンを動的に変化することもできる。また、図２４に示すように、発光部９０にアクセサリを配置し、イルミネーション装置１０によってアクセサリを光らせることもできる。
【００８５】
携帯電話機８０の発光部９０は、例えば、電話や電子メールの着信やアラートを知らせるためのインターフェースとして利用することができる。また、アドレス帳に登録されている個人情報と点灯パターンとを予め関連付けておけば、電話や電子メールの着信通知機能に加え、電話の発信元や電子メールの送信元を視覚的に知らせることにも利用できる。
【００８６】
このような機能は、例えば図２５及び図２６に示すような処理を行う制御装置を用いて実現することができる。
【００８７】
図２５は、電話の発信元や電子メールの送信元を視覚的に知らせるための制御装置６０の一例である。
【００８８】
まず、受信機６２により、電話や電子メールなどの情報を受信する。
【００８９】
次いで、送信元判定部６４により、着信した情報をアドレス帳に登録されている情報と照合し、電話の発信元や電子メールの送信元を判別する。
【００９０】
次いで、判別された発信元・送信元に関連付けられた点灯パターンの情報をデータベース６６から入手し、入手した点灯パターンの情報に基づいてＬＥＤ制御装置６８を駆動する。
【００９１】
これにより、イルミネーション装置１０の複数のＬＥＤ３０を所定の点灯パターンで点灯させ、携帯電話機８０のユーザに着信並びに着信先を視覚的に知らせることができる。
【００９２】
図２６は、アラートを視覚的に知らせるための制御装置６０の一例である。
【００９３】
まず、携帯電話機８０のユーザ等により、アラート情報格納部７０に、所定のアラート情報が格納される。アラート情報としては、例えば、ユーザに所定の時間を知らせるためのアラート情報がある。
【００９４】
次いで、アラート要否判定部７２により、現在の時間とアラート情報格納部７０に格納されているアラート情報とを比較し、アラートの発生の要否を判定する。
【００９５】
現在の時間とアラート情報格納部７０に格納されているアラート情報が一致したときには、点灯パターンの情報をデータベース６６から入手し、入手した点灯パターンの情報に基づいてＬＥＤ制御装置６８を駆動する。
【００９６】
これにより、イルミネーション装置１０の複数のＬＥＤ３０を所定の点灯パターンで点灯させ、携帯電話機８０のユーザにアラートを視覚的に知らせることができる。
【００９７】
携帯電話機８０の発光部９０に第１乃至第４実施形態のイルミネーション装置を用いることにより、リング状に発光する様々な点灯パターンを実現することができる。また、第１乃至第３実施形態のイルミネーション装置は、発光輝度の面内均一性が高く色むらが少ないことから、視覚的に綺麗な点灯パターンを得ることができる。
【００９８】
また、第１乃至第４実施形態のイルミネーション装置は、ＬＥＤ３０から発せられた光を導光板２０の側面から入射して導光板２０の表面側に出射するものであり、イルミネーション装置の厚みを薄くできるメリットもある。これにより、イルミネーション装置を搭載した電子機器の小型化・薄型化を図ることができる。
【００９９】
このように、本実施形態によれば、電子機器の外装部に、発光輝度が均一で色むらの少ない様々な点灯パターンを表示することができ、インターフェースとしての役割やデザイン性を向上することができる。また、また、イルミネーション装置を搭載した電子機器の小型化・薄型化を図ることができる。
【０１００】
［第５実施形態］
第５実施形態による電子機器について図２７乃至図３０を用いて説明する。図１乃至図２１に示す第１乃至第３実施形態によるイルミネーション装置並びに図２２乃至図２６に示す第４実施形態による電子機器と同様の構成要素には同一の符号を付し説明を省略し又は簡潔にする。
【０１０１】
図２７乃至図３０は、イルミネーション装置の電子機器への実装態様を示す概略図である。
【０１０２】
本実施形態では、第１乃至第３実施形態のイルミネーション装置を電子機器に搭載する際の実装形態について説明する。
【０１０３】
第１乃至第３実施形態のイルミネーション装置を電子機器に搭載する方法は、特に限定されるものではないが、例えば図２５乃至図２８に示すような種々の態様が考えられる。
【０１０４】
図２７に示す方法は、電子機器の部品５０と導光板２０とを一体形成するものである。導光板２０を形成する部分の外装部品を厚くして、段差部分にＬＥＤ３０を配置する。外装部品５０と導光板２０とを一体形成することにより、外装部品５０と導光板２０との間の位置ずれが生じることはなく、また、部品点数を削減できる効果もある。ＬＥＤ３０は、導光板２０を一体形成した外装部品５０に固定してもよいし、外装部品５０に対向配置される回路基板上に形成してもよい。このような実装方法は、例えば図２３に示す携帯電話８０の第２筐体８４の外装部品として適用可能である。
【０１０５】
図２３示す第２筐体８４は、図２７に示す外装部品５０を用い、例えば図２８に示すような構造とすることができる。
【０１０６】
回路基板９２の一方の面（図面において下側）には、液晶表示装置９４と、所定の実装部品９６が搭載されている。また、回路基板９２の他方の面（図面において上側）には、所定の実装部品９６と、ＬＥＤ３０が実装されている。実装部品９６には、例えば、制御装置６０を形成する部品が含まれる。この回路基板９２は、導光板２０を一体形成した外装部品５０と外装部品９８とにより形成される第２筐体８４内に内包されている。外装部品５０と外装部品９８との間をテープなどの密着材１００で密封すれば、止水カバーを兼ねる筐体を形成することもできる。回路基板９２上に形成されたＬＥＤ３０は、導光板２０の開口部２２に位置するように配置されており、回路基板９２と外装部品５０との組み合わせによってイルミネーション装置１０が形成される。
【０１０７】
外装部品５０と導光板２０とを一体形成する場合、材料中に拡散材を混合し、外装部品５０にレンズシート（拡散シート）と同様の効果を持たせるようにしてもよい。
【０１０８】
外装部品５０と導光板２０とを一体形成する場合、材料中に拡散材を混合し、外装部品５０にレンズシート（拡散シート）と同様の効果を持たせるようにしてもよい。この場合、例えば図２９（ａ）に示すように、外装部品の全体に拡散材を混合してもよいし、例えば図２９（ｂ）に示すように、２色成型で導光板２０部分は透明材とし、本来のケースになる部分を拡散材を含む材料としてもよい。
【０１０９】
図３０に示す方法は、図２７に示す外装部品５０を覆うように外装カバー５２を設けた例である。外装カバー５２のイルミネーション装置１０上にアクセサリ５４を嵌め込めば、イルミネーション装置１０によってアクセサリ５４を光らせることができる。この際、外装部品５０の表面に凹部５６を形成し、アクセサリ５４の干渉を抑えるようにしてもよい。このような実装方法は、例えば図２４に示す携帯電話８０の第２筐体８４の外装部品として適用可能である。
【０１１０】
［変形実施形態］
上記実施形態に限らず種々の変形が可能である。
【０１１１】
例えば、上記第１乃至第３実施形態では、リング状の帯領域を発光領域とするイルミネーション装置を示したが、必ずしもリング状の帯領域の全体を発光領域とする必要はない。上記実施形態によるイルミネーション装置では、プリズム２４を設けた部分が発光領域となるため、プリズム２４を形成する領域を適宜選択することにより、リング状の帯領域のうちの特定の領域だけを選択的に発光させることもできる。
【０１１２】
例えば、リング状の帯領域のうちの所定の角度の領域だけを発光したり、同心円をなす複数のリングのパターンを発光することができる。所定の角度の領域だけを発光する場合、ＬＥＤ３０の数を減らしてもよい。
【０１１３】
また、上記第１乃至第３実施形態では、リング状の発光領域を有するイルミネーション装置を示したが、リング状のプリズム２４の内径を小さくし、円形の発光領域を形成するようにしてもよい。
【０１１４】
また、上記第１実施形態では円形の複数の溝２６を有するプリズム２４を用い、第２及び第３実施形態では螺旋状の溝２６を有するプリズム２４を用いたが、プリズム２４を形成する溝２６は、必ずしも真円を描くように形成されたものでなくてもよい。例えば、楕円状にリングや螺線を描くように形成された溝を用いてもよい。
【０１１５】
また、上記第４及び第５実施形態では、第１乃至第３実施形態のイルミネーション装置を携帯電話機に適用した例を示したが、携帯電話機のみならずイルミネーション装置が求められる種々の電子機器に広く適用することができる。
【０１１６】
また、上記実施形態に記載したイルミネーション装置並びに電子機器の構造や構成材料等は、一例を示したものにすぎず、当業者の技術常識等に応じて適宜修正や変更が可能である。
【０１１７】
以上の実施形態に関し、更に以下の付記を開示する。
【０１１８】
（付記１）  平板状の導光板と、
前記導光板の側面に発光面が対向するように配置され、前記側面から前記導光板内に光を入射する複数の光源とを有し、
前記導光板の一方の表面に、前記導光板の中央部を囲うように配置され、前記複数の光源から発せられて前記導光板内を伝搬する光を反射して前記導光板の他方の表面から出射するプリズムが形成されており、
前記プリズムは、前記複数の光源のそれぞれに対して、前記光源から発せられた前記光を、前記導光板の前記中央部を挟んで前記光源に対向する領域において前記他方の表面から出射するように、形成されている
ことを特徴とするイルミネーション装置。
【０１１９】
（付記２）  付記１記載のイルミネーション装置において、
前記プリズムは、前記複数の光源のそれぞれに対して、前記光源から発せられた前記光を、前記光源と前記導光板の前記中央部との間の領域において前記他方の表面から出射しないように、形成されている
ことを特徴とするイルミネーション装置。
【０１２０】
（付記３）  付記１又は２記載のイルミネーション装置において、
前記プリズムは、同心円状に配置された複数のリング状の溝を有する
ことを特徴とするイルミネーション装置。
【０１２１】
（付記４）  付記１又は２記載のイルミネーション装置において、
前記プリズムは、螺旋状の溝を有する
ことを特徴とするイルミネーション装置。
【０１２２】
（付記５）  付記３又は４記載のイルミネーション装置において、
前記溝は、前記導光板の前記側面側に位置する第１の斜面と、前記導光板の前記中央部側に位置する第２の斜面とを有するＶ字型の溝により形成されている
ことを特徴とするイルミネーション装置。
【０１２３】
（付記６）  付記５記載のイルミネーション装置において、
前記導光板の前記一方の表面と前記第１の斜面との成す角度が１度〜５度であり、前記導光板の前記一方の表面と前記第２の斜面との成す角度が４１度〜４６度である
ことを特徴とするイルミネーション装置。
【０１２４】
（付記７）  付記３乃至６のいずれか1項に記載のイルミネーション装置において、
前記光源から離間するほどに、前記溝間のピッチが狭くなっている
ことを特徴とするイルミネーション装置。
【０１２５】
（付記８）  付記３乃至７のいずれか１項に記載のイルミネーション装置において、
前記光源から離間するほどに、前記溝の深さが深くなっている
ことを特徴とするイルミネーション装置。
【０１２６】
（付記９）  付記３乃至８のいずれか１項に記載のイルミネーション装置において、
前記溝間のピッチは、０．２ｍｍ以下である
ことを特徴とするイルミネーション装置。
【０１２７】
（付記１０）  付記１乃至９のいずれか１項に記載のイルミネーション装置において、
前記導光板は，前記複数の光源の数に応じた角数の多角形形状を有する
ことを特徴とするイルミネーション装置。
【０１２８】
（付記１１）  付記１乃至１０のいずれか１項に記載のイルミネーション装置において、
前記光源の前記発光面に対向する前記導光体の前記側面が平坦になっている
ことを特徴とするイルミネーション装置。
【０１２９】
（付記１２）  付記１乃至１１のいずれか１項に記載のイルミネーション装置において、
前記導光板の前記他方の表面側に配置されたレンズシートを更に有する
ことを特徴とするイルミネーション装置。
【０１３０】
（付記１３）  付記１２記載のイルミネーション装置において、
前記レンズシートは、複数の球面レンズが格子状に配置されたレンズアレイシートである
ことを特徴とするイルミネーション装置。
【０１３１】
（付記１４）  付記１２記載のイルミネーション装置において、
前記レンズシートは、複数のシリンドリカルレンズが平行に配置された２枚のレンチキュラ-レンズシートを、前記シリンドリカルレンズが互いに交差するように貼り合わせたものである
ことを特徴とするイルミネーション装置。
【０１３２】
（付記１５）  付記１２記載のイルミネーション装置において、
前記レンズシートは、光を拡散する拡散材を含む光拡散シートである
ことを特徴とするイルミネーション装置。
【０１３３】
（付記１６）  平板状の導光板と、前記導光板の側面に発光面が対向するように配置され、前記側面から前記導光板内に光を入射する複数の光源とを有し、前記導光板の一方の表面に、前記導光板の中央部を囲うように配置され、前記複数の光源から発せられて前記導光板内を伝搬する光を反射して前記導光板の他方の表面から出射するプリズムが形成されており、前記プリズムは、前記複数の光源のそれぞれに対して、前記光源から発せられた前記光を、前記導光板の前記中央部を挟んで前記光源に対向する領域において前記他方の表面から出射するように、形成されているイルミネーション装置と、
前記イルミネーション装置の前記光源を制御する制御装置と
を有することを特徴とする電子機器。
【０１３４】
（付記１７）  付記１６記載の電子機器において、
前記複数の光源は、前記制御装置が形成された回路基板に形成されており、
前記複数の光源が形成された前記回路基板上に、前記導光板が配置されている
ことを特徴とする電子機器。
【０１３５】
（付記１８）  付記１６又は１７記載の電子機器において、
前記導光板は、外装部品と一体形成されている
ことを特徴とする電子機器。
【０１３６】
（付記１９）  付記１８記載の電子機器において、
前記外装部品は、光を拡散する拡散材を含む
ことを特徴とする電子機器。
【符号の説明】
【０１３７】
１０…イルミネーション装置
２０…導光板
２２…開口部
２４…プリズム
２６…溝
２６ａ，２６ｂ…斜面
２８…光線
３０…ＬＥＤ
４０…レンズシート
４２ａ…マイクロレンズ
４２ｂ…シリンドリカルレンズ
４２ｃ…拡散材
５０，９８…外装部品
５２…外装カバー
５４…アクセサリ
５６…凹部
６０…制御装置
６２…受信機
６４…送信元判定部
６６…データベース
６８…ＬＥＤ制御装置
７０…アラート情報格納部
７２…アラート要否判定部
８０…携帯電話機
８２…第１筐体
８４…第２筐体
８６…操作部
８８…表示部
９０…発光部
９２…回路基板
９４…液晶表示装置
９６…実装部品
１００…密着材